(57)【要約】【課題】効率よく組み立て可能な構造で、電気光学パネルの表示光の出射側に配置したカバーの端板部と電気光学パネルとを接触した状態に保持することのできる電気光学装置、および電気光学装置の製造方法を提供すること。【解決手段】電気光学装置１０では、電気光学パネル４０の前側（表示光の出射側）に見切り部材として配置されたカバー９０には側板部９１、９２、９３が設けられており、カバー９０をフレーム６０に固定する際には、カバー９０の端板部９７と電気光学パネル４０とを接触させた状態でカバー９０の側板部９１、９２、９３とフレーム６０の側壁６１、６２、６３とを接着剤１５で固定する。このため、接着剤１５が硬化した後、カバー９０の端板部９７と電気光学パネル４０とが接触している状態を保持することができる。【選択図】図５
2014085571.tif 000002
【特許請求の範囲】
【請求項１】
表示光を第１方向に出射する画像表示領域、および平面視で前記画像表示領域と外縁との間に位置する外側領域を備えた電気光学パネルと、
前記電気光学パネルの側面に対向する側壁を備えたフレームと、  
平面視で前記外側領域の前記第１方向側の面に重なる端板部、および該端板部から前記第１方向と反対側の第２方向に延在して前記側壁に対向する側板部を備えたカバーと、
前記側板部と前記側壁とを固定して、前記端板部と前記電気光学パネルとが接触した状態を保持する接着剤と、
を有していることを特徴とする電気光学装置。
【請求項２】
前記電気光学パネルは液晶パネルを備え、
前記フレームの内側には、前記電気光学パネルに対して前記第２方向側にバックライトユニットが保持されていることを特徴とする請求項１に記載の電気光学装置。
【請求項３】
前記側板部は、前記側壁の内面に対向して前記接着剤により当該内面に固定されていることを特徴とする請求項１または２に記載の電気光学装置。
【請求項４】
前記接着剤は、前記側板部と前記側壁の内面とを接着しているとともに、前記側板部と前記電気光学パネルの側面とを接着していることを特徴とする請求項３に記載の電気光学装置。
【請求項５】
前記側板部は、前記側壁の外面に対向して前記接着剤により当該外面に固定されていることを特徴とする請求項１または２に記載の電気光学装置。
【請求項６】
前記側壁には、前記第１方向に向けて開口する溝が設けられ、
前記側板部は、前記溝の内部で当該溝の内面に対向して前記接着剤により当該内面に固定されていることを特徴とする請求項１または２に記載の電気光学装置。
【請求項７】
表示光を第１方向に出射する画像表示領域、および平面視で前記画像表示領域と外縁との間に位置する外側領域を備えた電気光学パネルと、
前記電気光学パネルの側面に対向する側壁を備えたフレームと、
平面視で前記外側領域の前記第１方向側の面に重なる端板部を備えたカバーと、
を有する電気光学装置の製造方法であって、
前記カバーに、前記端板部から前記第１方向と反対側の第２方向に延在して前記側壁に対向する側板部を設けておき、
前記フレームの内側に前記電気光学パネルを配置した後、当該電気光学パネルに前記カバーを被せ、その後、前記端板部と前記電気光学パネルとを接触させた状態で前記側板部と前記側壁とを接着剤により固定することを特徴とする電気光学装置の製造方法。
【請求項８】
前記側壁の外面に係合部を設けておき、
前記電気光学パネルに前記カバーを被せた後、
前記接着剤が硬化するまで、前記端板部を前記電気光学パネルに向けて弾性をもって押し付ける板バネ部、および該板バネ部から前記係合部まで延在するフック部を備えた固定部材を前記フレームに取り付けておき、
前記接着剤が硬化した後、前記固定部材を取り外すことを特徴とする請求項７に記載の電気光学装置の製造方法。
【発明の詳細な説明】
【技術分野】
【０００１】
本発明は、電子ビューファインダー等に用いられる電気光学装置、および電気光学装置の製造方法に関するものである。
【背景技術】
【０００２】
電子ビューファインダー等に用いられる電気光学装置は直視型の表示装置として構成されており、かかる電気光学装置は、表示光を出射する画像表示領域を備えた電気光学パネルと、電気光学パネルの側面に対向する側壁を備えたフレームとを有している。また、電気光学パネルに対して表示光の出射側には、電気光学パネルの画像表示領域の外側領域（周辺領域）に重なる端板部を備えたカバーが設けられており、カバーは、電気光学パネルに対する見切り部材等として機能している。
【０００３】
かかるカバーを設けるにあたっては、例えば、カバーをバックライトユニットとフック機構により結合させた構成が提案されている（特許文献１参照）。また、プレート部材（カバー）を電気光学パネルに接着固定した後、電気光学パネルをフレーム内に接着固定した構成が提案されている（特許文献２参照）。
【先行技術文献】
【特許文献】
【０００４】
【特許文献１】特開２０１０−１１７６４０号公報
【特許文献２】特開２００５−１１５２７４号公報
【発明の概要】
【発明が解決しようとする課題】
【０００５】
しかしながら、特許文献１に記載の構成では、フック機構を用いているため、カバーをバックライトユニットと結合させた後も、カバーは、端板部が電気光学パネルから離間する方向にある程度は移動可能である。このため、端板部と電気光学パネルとの間に隙間が発生することを避けることができず、かかる隙間に埃等が溜まると、埃が視認されてしまうおそれがある。
【０００６】
また、特許文献１に記載の構成では、プレート部材（カバー）を固定するにあたって、プレート部材と電気光学パネルとの接着工程を行った後、電気光学パネルとフレームとの接着工程とを必要とするため、生産性が低いという問題点がある。
【０００７】
以上の問題点に鑑みて、本発明の課題は、効率よく組み立て可能な構造で、電気光学パネルの表示光の出射側に配置したカバーの端板部と電気光学パネルとを接触した状態に保持することのできる電気光学装置、および電気光学装置の製造方法を提供することにある。
【課題を解決するための手段】
【０００８】
上記課題を解決するために、本発明は、表示光を第１方向に出射する画像表示領域、および平面視で前記画像表示領域と外縁との間に位置する外側領域を備えた電気光学パネルと、前記電気光学パネルの側面に対向する側壁を備えたフレームと、平面視で前記外側領域の前記第１方向側の面に重なる端板部、および該端板部から前記第１方向と反対側の第２方向に延在して前記側壁に対向する側板部を備えたカバーと、前記側板部と前記側壁とを固定して、前記端板部と前記電気光学パネルとが接触した状態を保持する接着剤と、を有していることを特徴とする。
【０００９】
また、本発明は、表示光を第１方向に出射する画像表示領域、および平面視で前記画像表示領域と外縁との間に位置する外側領域を備えた電気光学パネルと、前記電気光学パネルの側面に対向する側壁を備えたフレームと、平面視で前記外側領域の前記第１方向側の面に重なる端板部を備えたカバーと、を有する電気光学装置の製造方法であって、前記カバーに、前記端板部から前記第１方向と反対側の第２方向に延在して前記側壁に対向する側板部を設けておき、前記フレームの内側に前記電気光学パネルを配置した後、当該電気光学パネルに前記カバーを被せ、その後、前記端板部と前記電気光学パネルとを接触させた状態で前記側板部と前記側壁とを接着剤により固定することを特徴とする。
【００１０】
本発明における「電気光学パネル」とは、有機エレクトロルミネッセンス表示パネル等の場合のように、有機エレクトロルミネッセンス表示パネル単体を意味する他、液晶パネル等を用いた場合のように液晶パネルに偏光板等の光学素子が貼付されている場合、液晶パネルと偏光板等の光学素子とを合わせたものを意味する。
【００１１】
本発明において、カバーには側板部が設けられており、カバーをフレームに固定する際には、カバーの端板部と電気光学パネルとを接触させた状態でカバーの側板部とフレームの側壁とを接着剤で固定する。このため、接着剤が硬化した後、カバーの端板部と電気光学パネルとが接触している状態を保持することができる。従って、カバーの端板部と電気光学パネルとの隙間に埃等が溜まって視認されてしまうという事態の発生を防止することができる。また、カバーをフレームに固定するにあたって、カバーの側板部とフレームの側壁とを接着剤で直接固定する。従って、カバーをフレームに固定するのに１回の接着工程で済むので、電気光学装置の組み立てを効率よく行うことができる。
【００１２】
本発明において、前記電気光学パネルは液晶パネルを備え、前記フレームの内側には、前記電気光学パネルに対して前記第２方向側にバックライトユニットが保持されている構成を採用することができる。
【００１３】
本発明において、前記側板部は、前記側壁の内面に対向して前記接着剤により当該内面に固定されている構成を採用することができる。かかる構成によれば、フレームの側壁の外側に側板部が位置しないので、電気光学装置の小型化を図ることができる。
【００１４】
この場合、前記接着剤は、前記側板部と前記側壁の内面とを接着しているとともに、前記側板部と前記電気光学パネルの側面とを接着していることが好ましい。かかる構成によれば、１回の接着工程でフレーム、カバー、および電気光学パネルの固定を行うことができるので、電気光学装置の組み立てを効率よく行うことができる。
【００１５】
本発明において、前記側板部は、前記側壁の外面に対向して前記接着剤により当該外面に固定されている構成を採用してもよい。
【００１６】
本発明において、前記側壁には、前記第１方向に向けて開口する溝が設けられ、前記側板部は、前記溝の内部で当該溝の内面に対向して前記接着剤により当該内面に固定されている構成を採用してもよい。かかる構成によれば、カバーの側板部とフレームの側壁との接着面積が広いので、フレームとカバーとを強固に結合させることができる。
【００１７】
本発明においては、前記側壁の外面に係合部を設けておき、前記電気光学パネルに前記カバーを被せた後、前記接着剤が硬化するまで、前記端板部を前記電気光学パネルに向けて弾性をもって押し付ける板バネ部、および該板バネ部から前記係合部まで延在するフック部を備えた固定部材を前記フレームに取り付けておき、前記接着剤が硬化した後、前記固定部材を取り外すことが好ましい。かかる構成によれば、カバーの端板部と電気光学パネルとが接触している状態を確実に実現することができる。
【図面の簡単な説明】
【００１８】
【図１】本発明の実施の形態１に係る電気光学装置の説明図である。
【図２】本発明の実施の形態１に係る電気光学装置に用いた電気光学パネルの説明図である。
【図３】本発明の実施の形態１に係る電気光学装置の詳細構成を示す説明図である。
【図４】本発明の実施の形態１に係る電気光学装置を分解した様子を光出射側からみたときの分解斜視図である。
【図５】本発明の実施の形態１に係る電気光学装置の断面構成を拡大して示す説明図である。
【図６】本発明の実施の形態２に係る電気光学装置の断面構成を拡大して示す説明図である。
【図７】本発明の実施の形態３に係る電気光学装置の断面構成を拡大して示す説明図である。
【図８】本発明の実施の形態４に係る電気光学装置の製造方法を示す断面図である。
【発明を実施するための形態】
【００１９】
図面を参照して、本発明の実施の形態を説明する。以下の説明では、電気光学パネルとして、透過型の液晶パネルを用いた場合を中心に説明する。また、以下の説明では、電気光学パネルの面内方向で互いに交差する２方向のうちの一方をＸ軸方向とし、他方をＹ軸方向とし、Ｘ軸方向およびＹ軸方向に交差する方向をＺ軸方向とする。また、以下に参照する図面では、Ｘ軸方向の一方側（フレキシブル配線基板４０ｉが延在している側）をＸ１側とし、他方側をＸ２側とし、Ｙ軸方向の一方側をＹ１側とし、他方側をＹ２側とし、Ｚ軸方向の一方側（表示光が出射される側とは反対側／後側）をＺ１側とし、これと他方側（表示光が出射される側／前側）をＺ２側として表してある。従って、Ｚ軸方向の他方側Ｚ２の方向が本発明における「第１方向」に相当し、Ｚ軸方向の一方側Ｚ１の方向が本発明における「第２方向」に相当する。なお、以下の説明で参照する図においては、各層や各部材を図面上で認識可能な程度の大きさとするため、各層や各部材毎に縮尺を異ならしめてある。
【００２０】
［実施の形態１］
図１は、本発明の実施の形態１に係る電気光学装置の説明図である。図２は、本発明の実施の形態１に係る電気光学装置に用いた電気光学パネルの説明図であり、図２（ａ）、（ｂ）は、電気光学パネルを各構成要素とともに第２基板（対向基板）の側から見た平面図、およびそのＨ−Ｈ′断面図である。
【００２１】
図１において、本形態の電気光学装置１０は、一眼レフカメラの電子ビューファインダー等に用いられる直視型の表示装置であり、表示光を出射する画像表示領域４０ａを備えた電気光学パネル４０と、電気光学パネル４０を内側に保持するフレーム６０と、電気光学パネル４０に対して前側（表示光の出射側）に設けられた板状のカバー９０と、フレーム６０の後側（表示光の出射側とは反対側）に設けられた底板８０とを有している。
【００２２】
図２に示すように、電気光学装置１０において、電気光学パネル４０は、液晶パネル５０を有しており、液晶パネル５０では、透光性の第１基板５１（素子基板）と透光性の第２基板５２（対向基板）とが所定の隙間を介してシール材４０７によって貼り合わされている。第１基板５１および第２基板５２は石英ガラスや耐熱ガラス等が用いられており、本形態において、第１基板５１および第２基板５２には石英ガラスが用いられている。第１基板５１と第２基板５２との間においてシール材４０７によって囲まれた領域内に電気光学物質層４５０としての液晶層が保持されている。シール材４０７は、第２基板５２の外縁に沿うように枠状に設けられている。シール材４０７は、光硬化性を備えた接着剤、熱硬化性の接着剤、あるいは光硬化性および熱硬化性の双方を備えた接着剤であり、両基板間の距離を所定値とするためのグラスファイバー、あるいはガラスビーズ等のギャップ材が配合されている。
【００２３】
第１基板５１は四角形であり、４つの辺の各々に側面５１１、５１２、５１３、５１４を備えている。第２基板５２も、第１基板５１と同様、四角形であり、４つの辺の各々に側面５２１、５２２、５２３、５２４を備えている。このため、電気光学パネル４０の側面は、第１基板５１の側面５１１、５１２、５１３、５１４、または第２基板５２の側面５２１、５２２、５２３、５２４に相当する。
【００２４】
本形態において、第１基板５１は第２基板５２よりサイズが大きく、第１基板５１の４つの側面５１１、５１２、５１３、５１４のうち、側面５１１、５１２、５１４は各々、第２基板５２の側面５２１、５２２、５２４より外側に位置する。このため、第２基板５２の周りには、第１基板５１と第２基板５２の側面５２１、５２２、５２４とによって段部４０ｓ、４０ｔ、４０ｖが形成され、かかる段部４０ｓ、４０ｔ、４０ｖでは、第１基板５１が第２基板５２から露出した状態にある。なお、第１基板５１の側面５１３と第２基板５２の側面５２３とは重なっており、段部が形成されていない。
【００２５】
液晶パネル５０の略中央には、変調光を出射する画像表示領域４０ａが四角形の領域として設けられている。かかる形状に対応して、シール材４０７も略四角形に設けられている。また、液晶パネル５０では、画像表示領域４０ａの外側（画像表示領域４０ａと電気光学パネル４０の側面（第１基板５１の側面５１１、５１２、５１３、５１４））との間には、四角枠状の外側領域４０ｃ（周辺領域）が設けられている。
【００２６】
第１基板５１は、側面５１４が位置する側の端部（Ｙ軸方向の一方側Ｙ１の端部）が他の端部より第２基板５２の側面５２４から大きく張り出しており、第１基板５１には、側面５１４に沿ってデータ線駆動回路４０１および複数の端子４０２が形成されている。また、第１基板５１には、側面５１１、５１２に沿って走査線駆動回路４０４が形成されている。端子４０２には、フレキシブル配線基板４０ｉが接続されており、第１基板５１には、フレキシブル配線基板４０ｉを介して各種電位や各種信号が入力される。なお、第１基板５１では、側面５１４とフレキシブル配線基板４０ｉとに跨るように補強剤４１が塗布されている。
【００２７】
第１基板５１の第１面５１ａおよび第２面５１ｂのうち、第２基板５２と対向する第１面５１ａには、画像表示領域４０ａに、透光性の画素電極４０５ａおよび画素電極４０５ａに対応する画素トランジスター（スイッチング素子／図示せず）を備えた画素がマトリクス状に形成されており、かかる画素電極４０５ａの上層側には配向膜４１６が形成されている。また、第１基板５１の第１面５１ａにおいて、外側領域４０ｃのうち、シール材４０７より内側の領域には、画素電極４０５ａと同時形成されたダミー画素電極４０５ｂが形成されている。ダミー画素電極４０５ｂについては、ダミーの画素トランジスターと電気的に接続された構成、ダミーの画素トランジスターが設けられずに配線に直接、電気的に接続された構成、あるいは電位が印加されていないフロート状態にある構成が採用される。
【００２８】
第２基板５２の第１面５２ａおよび第２面５２ｂのうち、第１基板５１と対向する第１面５２ａには透光性の共通電極４２１が形成されており、共通電極４２１の上層には配向膜４２６が形成されている。共通電極４２１は、第２基板５２の略全面あるいは複数の帯状電極として複数の画素に跨って形成されており、本形態において、共通電極４２１は、第２基板５２の略全面に形成されている。また、第２基板５２の第１面５２ａには、共通電極４２１の下層側に遮光層４０８が形成されている。本形態において、遮光層４０８は、画像表示領域４０ａの外周縁に沿って延在する額縁状に形成されており、かかる遮光層４０８の内縁によって画像表示領域４０ａが規定されている。遮光層４０８の外周縁は、シール材４０７の内周縁との間に隙間を隔てた位置にあり、遮光層４０８とシール材４０７とは被さっていない。また、第２基板５２において、隣り合う画素電極４０５ａにより挟まれた領域と重なる領域等には、遮光層４０８と同時形成された遮光層がブラックマトリクスあるいはブラックストライプとして形成されることもある。また、本形態の液晶パネル５０はカラー表示用であるため、第２基板５２の第１面５２ａには、共通電極４２１の下層側にカラーフィルターや保護層（図示せず）が形成されている。
【００２９】
第１基板５１には、シール材４０７より外側において第２基板５２の角部分と重なる領域に、第１基板５１と第２基板５２との間で電気的導通をとるための基板間導通用電極４０９が形成されている。基板間導通用電極４０９と第２基板５２との間には、導電粒子を含んだ基板間導通材４０９ａが配置されており、第２基板５２の共通電極４２１は、基板間導通材４０９ａおよび基板間導通用電極４０９を介して、第１基板５１側に電気的に接続されている。このため、共通電極４２１は、第１基板５１の側から共通電位が印加されている。シール材４０７は、略同一の幅寸法をもって第２基板５２の外周縁に沿って設けられている。但し、シール材４０７は、第２基板５２の角部分と重なる領域では基板間導通用電極４０９を避けて内側を通るように設けられている。
【００３０】
また、液晶パネル５０において、第１基板５１の第２面５１ｂ（外面／第１基板５１の第２基板５２と反対側の面）の略全面には出側偏光板５６が接着剤等により貼付され、第２基板５２の第２面５２ｂ（外面／第２基板５２の第１基板５１と反対側の面）の略全面には入側偏光板５７が接着剤等により貼付されている。従って、電気光学パネル４０は、液晶パネル５０、出側偏光板５６および入側偏光板５７からなる。
【００３１】
かかる構成の電気光学パネル４０において、本形態では、画素電極４０５ａおよび共通電極４２１がＩＴＯ膜等の透光性導電膜により形成されているため、電気光学パネル４０は透過型の液晶パネルである。かかる透過型の液晶パネル（電気光学パネル４０）の場合、第１基板５１および第２基板５２のうち、一方側の基板から入射した光が他方側の基板を透過して出射される間に変調される。本形態では、第２基板５２の側から入射した光（矢印Ｌ１１で示す）が第１基板５１を透過して変調光（矢印Ｌ１２で示す）として出射される構成になっている。このため、第２基板５２に対向するようにバックライトユニット７０が配置されており、かかるバックライトユニット７０も、電気光学パネル４０と同様、図１に示すフレーム６０の内側に配置されている。
【００３２】
（電気光学装置１０の詳細構成）
図３は、本発明の実施の形態１に係る電気光学装置１０の詳細構成を示す説明図であり、図３（ａ）、（ｂ）、（ｃ）、（ｄ）は、電気光学装置１０を光出射側からみたときの平面図、Ｙａ−Ｙａ′断面図、Ｘａ−Ｘａ′断面図、および光入射側からみたときの底面図である。図４は、本発明の実施の形態１に係る電気光学装置１０を分解した様子を光出射側からみたときの分解斜視図である。図５は、本発明の実施の形態１に係る電気光学装置１０の断面構成を拡大して示す説明図であり、図５（ａ）、（ｂ）は、Ｙａ−Ｙａ′断面図を拡大して示す説明図、およびＸａ−Ｘａ′断面図を拡大して示す説明図である。
【００３３】
図３、図４および図５に示すように、電気光学パネル４０を一眼レフカメラ等に搭載するにあたっては、補強等を目的に、電気光学パネル４０をフレーム６０により支持した電気光学装置１０とする。また、本形態の電気光学装置１０では、電気光学パネル４０およびフレーム６０に加えて、バックライトユニット７０、底板８０、および板状のカバー９０が用いられている。以下、図５を中心に参照して、電気光学装置１０の詳細構成を説明する。
【００３４】
本形態において、フレーム６０は、中央に矩形の開口部を備えた矩形枠状の樹脂製部材あるいは金属製部材であり、電気光学パネル４０の周りを囲む４つの側壁６１、６２、６３、６４を備えている。本形態において、フレーム６０は金属製部材からなる。
【００３５】
本形態では、側壁６１、６２、６３、６４の外面６１ａ、６２ａ、６３ａ、６４ａは概ね平坦面になっているのに対して、側壁６１、６２、６３、６４の内面６１ｂ、６２ｂ、６３ｂ、６４ｂは、電気光学パネル４０やバックライトユニット７０の端部の形状に対応する段部が構成されている。
【００３６】
より具体的には、図５（ａ）に示すように、Ｘ軸方向の他方側Ｘ２に位置する側壁６１は、Ｚ軸方向の中間部に位置する肉厚部分６１１と、肉厚部分６１１から後方（Ｚ軸方向の一方側Ｚ１）に突出した第１板状部６１２（後方板状部）と、肉厚部分６１１から前方（Ｚ軸方向の他方側Ｚ２）に突出した第２板状部６１３（前方板状部）とを備えている。また、肉厚部分６１１は、本体部分６１５と、後側端部（Ｚ軸方向の一方側Ｚ１の端部）から内側に向けて突出した板状座部６１６とを備えている。このため、側壁６１の内面には、第１板状部６１２と肉厚部分６１１との間、肉厚部分６１１における本体部分６１５と板状座部６１６との間、および肉厚部分６１１と第２板状部６１３との間に段部が形成されている。
【００３７】
また、Ｘ軸方向の一方側Ｘ１に位置する側壁６２は、側壁６１と同様、Ｚ軸方向の中間部に位置する肉厚部分６２１と、肉厚部分６２１から後方（Ｚ軸方向の一方側Ｚ１）に突出した第１板状部６２２（後方板状部）と、肉厚部分６２１から前方（Ｚ軸方向の他方側Ｚ２）に突出した第２板状部６２３（前方板状部）とを備えている。また、肉厚部分６２１は、本体部分６２５と、後側端部（Ｚ軸方向の一方側Ｚ１の端部）から内側に向けて突出した板状座部６２６とを備えている。このため、側壁６２の内面には、第１板状部６２２と肉厚部分６２１との間、肉厚部分６２１における本体部分６２５と板状座部６２６との間、および肉厚部分６２１と第２板状部６２３との間に段部が形成されている。
【００３８】
また、図５（ｂ）に示すように、Ｙ軸方向の他方側Ｙ２に位置する側壁６３は、側壁６１、６２と同様、Ｚ軸方向の中間部に位置する肉厚部分６３１と、肉厚部分６３１から後方（Ｚ軸方向の一方側Ｚ１）に突出した第１板状部６３２（後方板状部）と、肉厚部分６３１から前方（Ｚ軸方向の他方側Ｚ２）に突出した第２板状部６３３（前方板状部）とを備えている。また、肉厚部分６３１は、本体部分６３５と、後側端部（Ｚ軸方向の一方側Ｚ１の端部）から内側に向けて突出した板状座部６３６とを備えている。このため、側壁６３の内面には、第１板状部６３２と肉厚部分６３１との間、肉厚部分６３１における本体部分６３５と板状座部６３６との間、および肉厚部分６３１と第２板状部６３３との間に段部が形成されている。
【００３９】
これに対して、Ｙ軸方向の一方側Ｙ１に位置する側壁６４では、電気光学パネル４０に接続されたフレキシブル配線基板４０ｉが外部に引き出される。このため、側壁６４は、側壁６１、６２、６３と違って、第２板状部が形成されていない。従って、側壁６４は、Ｚ軸方向の中間部に位置する肉厚部分６４１と、肉厚部分６４１から後方（Ｚ軸方向の一方側Ｚ１）に突出した第１板状部６４２（後方板状部）とを備えている。また、肉厚部分６４１は、本体部分６４５と、後側端部（Ｚ軸方向の一方側Ｚ１の端部）から内側に向けて突出した板状座部６４６とを備えている。このため、側壁６４の内面には、第１板状部６４２と肉厚部分６４１との間、および肉厚部分６４１における本体部分６４５と板状座部６４６との間に段部が形成されている。また、第１板状部６４２には、バックライトユニット７０に接続されたフレキシブル配線基板７０ｉ（図３参照）を外部に引き出す切り欠き６４９が形成されている。
【００４０】
（バックライトユニット７０および底板８０の構成等）
バックライトユニット７０は、フレーム６０の内形と同様な矩形の導光板７１と、導光板７１との側面に対向配置された光源部７２とを備えており、本形態において、光源部７２は、フレキシブル配線基板７０ｉに実装された複数の発光ダイオードを備えている。かかる構成のバックライトユニット７０は、板状座部６１６、６２６、６３６、６４６の後面に当接するように配置されている。なお、導光板７１には、プリズムシート等の光学シートが重ねて配置されているが、図５等ではそれらの図示を省略してある。
【００４１】
底板８０は、フレーム６０の外形と同様な矩形形状を有しており、フレーム６０の後側端部（第１板状部６１２、６２２、６３２、６４２の後側端部）に接着剤等により固定されている。その結果、フレーム６０の後端側は底板８０に塞がれた状態となり、この状態で、バックライトユニット７０は、フレーム６０の板状座部６１６、６２６、６３６、６４６と底板８０との間に配置されている。
【００４２】
（電気光学パネル４０の収容構造）
本形態において、電気光学パネル４０は、入側偏光板５７および第２基板５２を後方（バックライトユニット７０が位置する側）に向けてフレーム６０の内側に配置されている。ここで、入側偏光板５７が板状座部６１６、６２６、６３６、６４６の前面に当接し、電気光学パネル４０の位置決めが行われる。このため、入側偏光板５７とバックライトユニット７０との間には隙間が形成されている。かかる状態で、電気光学パネル４０の側面のうち、第２基板５２の側面５２１、５２２、５２３、５２４は各々、フレーム６０の側壁６１、６２、６３、６４に形成された肉厚部分６１１、６２１、６３１、６４１の本体部分６１５、６２５、６３５、６４５に隙間を介して対向する。また、電気光学パネル４０の側面のうち、第１基板５１の側面５１１、５１２、５１３は各々、フレーム６０の側壁６１、６２、６３に形成された第２板状部６１３、６２３、６３３に隙間を介して対向する。なお、電気光学パネル４０の側面のうち、フレキブル配線基板４０ｉが引き出されている側に位置するフレーム６０の側壁６４には第２板状部が形成されていないため、第１基板５１の側面５１４は外側に向けて開放状態にある。
【００４３】
（カバー９０の構成等）
電気光学パネル４０の前方には、金属板または黒色の樹脂板からなる板状のカバー９０が配置されており、かかるカバー９０は、遮光性を有している。本形態において、板状カバー９０は金属板からなり、Ｚ軸方向の他方側Ｚ２の面は、黒色化処理されている。
【００４４】
カバー９０は、電気光学パネル４０に対して前側（Ｚ軸方向の他方側Ｚ２）で重なる矩形枠状の端板部９７を有しており、かかる端板部９７の中央には、画像表示領域４０ａと重なる領域に開口部９８が形成されている。このため、端板部９７は、電気光学パネル４０の画像表示領域４０ａの外側領域４０ｃに表示光の出射側で重なっており、カバー９０は、電気光学パネル４０に対する見切り部材として機能している。
【００４５】
本形態において、カバー９０では、端板部９７の縁から後側（表示光の出射側とは反対側／Ｚ軸方向の一方側Ｚ１）に延在してフレーム６０の側壁６１、６２、６３に対向する側板部９１、９２、９３が形成されている。より具体的には、カバー９０では、端板部９７の縁から後側（表示光の出射側とは反対側／Ｚ軸方向の一方側Ｚ１）に延在してフレーム６０の側壁６１、６２、６３の内面６１ｂ、６２ｂ、６３ｂに対向する側板部９１、９２、９３が形成されている。
【００４６】
側板部９１、９２、９３は、Ｚ軸方向における幅寸法は、フレーム６０の第２板状部６１３、６２３、６３３の本体部分６１１、６２１、６３１からの突出寸法（高さ寸法）よりわずかに小である。従って、カバー９０の側板部９１、９２、９３は、フレーム６０の側壁６１、６２、６３の内面６１ｂ、６２ｂ、６３ｂのうち、第２板状部６１３、６２３、６３３の内面に対向している。また、カバー９０の側板部９１、９２、９３は、電気光学パネル４０の側面のうち、第１基板５１の側面５１１、５１２、５１３に対向している。
【００４７】
ここで、側板部９１、９２、９３と第２板状部６１３、６２３、６３３、および側板部９１、９２、９３と第１基板５１の側面５１１、５１２、５１３とは離れており、かかる間は接着剤１５によって埋められている。このため、側板部９１、９２、９３は、接着剤１５によってフレーム６０の側壁６１、６２、６３の内面６１ｂ、６２ｂ、６３ｂ（第２板状部６１３、６２３、６３３の内面）と接着されているとともに、第１基板５１の側面５１１、５１２、５１３と接着されている。本形態において、接着剤１５は、フレーム６０の板状座部６１６、６２６、６３６の前面まで到達しており、電気光学パネル４０の第２基板５２の側面５２１、５２２、５２３は、フレーム６０の肉厚部分６１１、６２１、６３１と接着剤１５によって固定されている。従って、電気光学パネル４０、カバー９０およびフレーム６０は、接着剤１５によって一体化され、その結果、電気光学パネル４０およびカバー９０は、フレーム６０を介してバックライトユニット７０および底板８０と一体化されている。
【００４８】
この状態で、カバー９０の端板部９７は、電気光学パネル４０のうち、出側偏光板５６と接しており、カバー９０の端板部９７と電気光学パネル４０の出側偏光板５６との間には隙間がない。
【００４９】
（電気光学装置１０の製造方法）
本形態の電気光学装置１０の製造工程のうち、フレーム６０に電気光学パネル４０およびカバー９０を接着剤１５で固定するにあたっては、フレーム６０の内側に電気光学パネル４０を配置した後、電気光学パネル４０にカバー９０を被せ、その後、端板部９７と電気光学パネル４０とを接触させた状態でカバー９０の側板部９１、９２、９３とフレーム６０の側壁６１、６２、６３とを接着剤１５により固定する。
【００５０】
より具体的には、フレーム６０の内側に電気光学パネル４０を配置した後、電気光学パネル４０とフレーム６０との間に未硬化の接着剤１５を充填し、その後、カバー９０を被せる。そして、カバー９０の端板部９７が電気光学パネル４０に接するように、端板部９７を電気光学パネル４０に押し付け、この状態で接着剤１５を硬化させる。
【００５１】
なお、フレーム６０の内側に未硬化の接着剤１５を塗布した後、フレーム６０の内側に電気光学パネル４０を配置し、その後、カバー９０を被せる手順を採用してもよい。また、フレーム６０の内側、電気光学パネル４０の側面、およびカバー９０の側板部９１、９２、９３に未硬化の接着剤１５を塗布した後、フレーム６０の内側に電気光学パネル４０を配置し、その後、カバー９０を被せる手順を採用してもよい。さらに、また、フレーム６０の内側に電気光学パネル４０を配置した後、カバー９０を被せ、その後、未硬化の接着剤１５を充填する手順等を採用してもよい。
【００５２】
（本形態の主な効果）
以上説明したように、本形態の電気光学装置１０では、電気光学パネル４０の前側（表示光の出射側）に見切り部材として配置されたカバー９０には側板部９１、９２、９３が設けられており、カバー９０をフレーム６０に固定する際には、カバー９０の端板部９７と電気光学パネル４０とを接触させた状態でカバー９０の側板部９１、９２、９３とフレーム６０の側壁６１、６２、６３とを接着剤１５で固定する。このため、接着剤１５が硬化した後、カバー９０の端板部９７と電気光学パネル４０とが接触している状態を保持することができる。従って、カバー９０の端板部９７と電気光学パネル４０との隙間に埃等が溜まって視認されてしまうという事態の発生を防止することができる。
【００５３】
また、カバー９０をフレーム６０に固定するにあたって、カバー９０の側板部９１、９２、９３とフレーム６０の側壁６１、６２、６３とを接着剤１５で直接固定する。従って、カバー９０をフレーム６０に固定するのに１回の接着工程で済むので、電気光学装置１０の組み立てを効率よく行うことができる。
【００５４】
また、カバー９０の側板部９１、９２、９３とフレーム６０の側壁６１、６２、６３の内面６１ｂ、６２ｂ、６３ｂとを対向させて接着剤１５により固定しているので、フレーム６０の側壁６１、６２、６３の外側にカバー９０の側板部９１、９２、９３が位置しない。それ故、電気光学装置１０の小型化を図ることができる。
【００５５】
また、接着剤１５は、カバー９０の側板部９１、９２、９３とフレーム６０の側壁６１、６２、６３の内面６１ｂ、６２ｂ、６３ｂとを接着しているとともに、カバー９０の側板部９１、９２、９３と電気光学パネル４０の側面（第１基板５１の側面５１１、５１２、５１３）とを接着している。このため、１回の接着工程でフレーム６０、カバー９０、および電気光学パネル４０の固定を行うことができるので、電気光学装置１０の組み立てを効率よく行うことができる。しかも、接着剤１５は、フレーム６０の側壁６１、６２、６３の内面６１ｂ、６２ｂ、６３ｂと電気光学パネル４０の側面等（第２基板５２の側面５２１、５２２、５２３等）とを直接、接着している。従って、フレーム６０、カバー９０、および電気光学パネル４０を強固に固定することができる。
【００５６】
［実施の形態２］
図６は、本発明の実施の形態２に係る電気光学装置１０の断面構成を拡大して示す説明図であり、図６（ａ）、（ｂ）は、図３（ａ）のＹａ−Ｙａ′線で電気光学装置１０を切断した断面図、および図３（ａ）のＸａ−Ｘａ′線で電気光学装置１０を切断した断面図である。なお、本形態の基本的な構成は、実施の形態１と同様であるため、共通する部分には同一の符号を付して、それらの説明を省略する。
【００５７】
実施の形態１では、カバー９０をフレーム６０に固定するにあたって、カバー９０の側板部９１、９２、９３とフレーム６０の側壁６１、６２、６３の内面６１ｂ、６２ｂ、６３ｂとを対向させて接着剤１５により固定した。これに対して、本形態では、図６に示すように、カバー９０の側板部９１、９２、９３とフレーム６０の側壁６１、６２、６３の外面６１ａ、６２ａ、６３ａ（第２板状部６１３、６２３、６３３の外面）とを対向させて接着剤１５により固定してある。また、接着剤１５は、フレーム６０の側壁６１、６２、６３の内面６１ｂ、６２ｂ、６３ｂと電気光学パネル４０の側面等（第２基板５２の側面５２１、５２２、５２３等）とを直接、接着している。
【００５８】
かかる形態でも、実施の形態１と同様、電気光学装置１０の製造工程では、フレーム６０の内側に電気光学パネル４０を配置した後、電気光学パネル４０にカバー９０を被せ、その後、カバー９０の端板部９７と電気光学パネル４０とを接触させた状態でカバー９０の側板部９１、９２、９３とフレーム６０の側壁６１、６２、６３とを接着剤１５により固定する。
【００５９】
従って、本形態でも、実施の形態１と同様、カバー９０の端板部９７と電気光学パネル４０とが接触している状態を保持することができるので、カバー９０の端板部９７と電気光学パネル４０との隙間に埃等が溜まって視認されてしまうという事態の発生を防止することができる。また、カバー９０をフレーム６０に固定するにあたって、カバー９０の側板部９１、９２、９３とフレーム６０の側壁６１、６２、６３とを接着剤１５で直接固定するため、カバー９０をフレーム６０に固定するのに１回の接着工程で済む等、電気光学装置１０の組み立てを効率よく行うことができる。
【００６０】
［実施の形態３］
図７は、本発明の実施の形態３に係る電気光学装置１０の断面構成を拡大して示す説明図であり、図７（ａ）、（ｂ）は、図３（ａ）のＹａ−Ｙａ′線で電気光学装置１０を切断した断面図、および図３（ａ）のＸａ−Ｘａ′線で電気光学装置１０を切断した断面図である。なお、本形態の基本的な構成は、実施の形態１と同様であるため、共通する部分には同一の符号を付して、それらの説明を省略する。
【００６１】
実施の形態１では、カバー９０の側板部９１、９２、９３とフレーム６０の側壁６１、６２、６３の内面６１ｂ、６２ｂ、６３ｂとを対向させて接着剤１５により固定し、実施の形態２では、カバー９０の側板部９１、９２、９３とフレーム６０の側壁６１、６２、６３の外面６１ａ、６２ａ、６３ａとを対向させて接着剤１５により固定した。これに対して、本形態では、図７に示すように、フレーム６０の側壁６１、６２、６３において、第２板状部６１３、６２３、６３３には、前側（表示光の出射側）に向けて開口する溝６１８、６２８、６３８が設けられている。また、カバー９０の側板部９１、９２、９３は、溝６１８、６２８、６３８の内部に位置している。この状態で、カバー９０の側板部９１、９２、９３は、両面が各々、溝６１８、６２８、６３８の内面に対向し、接着剤１５により溝６１８、６２８、６３８の内面に固定されている。また、接着剤１５は、溝６１８、６２８、６３８の内部でフレーム６０の側壁６１、６２、６３の内面６１ｂ、６２ｂ、６３ｂと電気光学パネル４０の側面等（第２基板５２の側面５２１、５２２、５２３等）とを直接、接着している。また、接着剤１５は、フレーム６０の側壁６１、６２、６３の内面６１ｂ、６２ｂ、６３ｂと電気光学パネル４０の側面等（第２基板５２の側面５２１、５２２、５２３等）とを直接、接着している。
【００６２】
かかる形態でも、実施の形態１と同様、電気光学装置１０の製造工程では、フレーム６０の内側に電気光学パネル４０を配置した後、電気光学パネル４０にカバー９０を被せ、その後、カバー９０の端板部９７と電気光学パネル４０とを接触させた状態でカバー９０の側板部９１、９２、９３とフレーム６０の側壁６１、６２、６３とを接着剤１５により固定する。
【００６３】
従って、本形態でも、実施の形態１と同様、カバー９０の端板部９７と電気光学パネル４０とが接触している状態を保持することができるので、カバー９０の端板部９７と電気光学パネル４０との隙間に埃等が溜まって視認されてしまうという事態の発生を防止することができる。また、カバー９０をフレーム６０に固定するにあたって、カバー９０の側板部９１、９２、９３とフレーム６０の側壁６１、６２、６３とを接着剤１５で直接固定するため、カバー９０をフレーム６０に固定するのに１回の接着工程で済む等、電気光学装置１０の組み立てを効率よく行うことができる。
【００６４】
また、カバー９０の側板部９１、９２、９３は、両面が各々、溝６１８、６２８、６３８の内面に接着剤１５により固定されているため、接着面積が広い。それ故、カバー９０とフレーム６０とを強固に固定することができる。
【００６５】
［実施の形態４］
図８は、本発明の実施の形態４に係る電気光学装置１０の製造方法を示す断面図である。なお、本形態の基本的な構成は、実施の形態１と同様であるため、共通する部分には同一の符号を付して、それらの説明を省略する。
【００６６】
実施の形態１、２、３に係る電気光学装置１０の製造工程においては、フレーム６０の内側に電気光学パネル４０を配置した後、電気光学パネル４０にカバー９０を被せ、その後、カバー９０の端板部９７と電気光学パネル４０とを接触させた状態でカバー９０の側板部９１、９２、９３とフレーム６０の側壁６１、６２、６３とを接着剤１５により固定する。かかる工程において、本形態では、図８に示すように、カバー９０の端板部９７と電気光学パネル４０と接触させるにあたって、フレーム６０の側壁６１、６２の外面６１ａ、６２ａに係合部６１９、６２９を設けておき、電気光学パネル４０にカバー９０を被せた後、接着剤１５が硬化するまで、係合部６１９、６２９を利用して固定部材３０をフレーム６０に取り付けておき、接着剤１５が硬化した後、固定部材３０を取り外す。
【００６７】
より具体的には、固定部材３０は、カバー９０の端板部９７に対して前側から被さる板バネ部３５と、板バネ部３５から係合部６１９、６２９まで延在する板状のフック部３１、３２を備えている。本形態において、係合部６１９、６２９は凸部として形成されており、フック部３１、３２は、係合部６１９、６２９に嵌る係合穴３１９、３２９を備えている。また、板バネ部３５は、カバー９０の端板部９７から離間した位置で端板部９７に対向する支持板部３７と、支持板部３７から端板部９７に向けて斜めに延在する弾性変形部３８と、弾性変形部３８から延在して端板部９７に接する押圧部３９とを備えている。このため、フック部３１、３２と係合部６１９、６２９が各々係合するように、固定部材３０をカバー９０に被せると、押圧部３９が端板部９７に接するとともに、弾性変形部３８が撓む。従って、押圧部３９はカバー９０に弾性をもって電気光学パネル４０に向けて押圧するので、カバー９０の端板部９７と電気光学パネル４０とが接触する。従って、接着剤１５が硬化するまでの間、カバー９０の端板部９７と電気光学パネル４０とが確実に接触するとともに、接着剤１５が硬化した後、固定部材３０を取り外しても、カバー９０の端板部９７と電気光学パネル４０とが確実に接することになる。
【００６８】
なお、本形態では、実施の形態１に係る電気光学装置１０の製造工程に固定部材３０を用いた場合を例示したが、実施の形態２、３に係る電気光学装置１０の製造工程に固定部材３０を用いてもよい。また、図８に示す形態では、フレーム６０の係合部６１９、６２９を凸部とし、フック部３１、３２に係合穴３１９、３２９を設けたが、フレーム６０の係合部６１９、６２９を凹部とし、フック部３１、３２に凹状の係合部６１９、６２９と係合する係合爪を設けてもよい。
【００６９】
［電気光学装置の他の形態］
上記実施の形態では、電気光学パネル４０として液晶表示装置を例に挙げて説明したが、本発明はこれに限定されず、有機エレクトロルミネッセンス表示用パネル、プラズマディスプレイパネル、ＦＥＤ（Field Emission Display）パネル、ＳＥＤ（Surface-Conduction Electron-Emitter Display）パネル、ＬＥＤ（発光ダイオード）表示パネル、電気泳動表示パネル等を用いた電気光学装置に本発明を適用してもよい。
【００７０】
［他の電子機器］
上記実施の形態では、電気光学装置１０としては、一眼レフカメラの電子ビューファインダーに用いられる直視型の表示装置を例示したが、携帯電話機、情報携帯端末（ＰＤＡ：Personal Digital Assistants）、デジタルカメラ、液晶テレビ、カーナビゲーション装置、テレビ電話、ＰＯＳ端末、タッチパネル等の直視型の表示装置や、投射型表示装置のライトバルブとして用いられる電気光学装置１０に本発明を適用してもよい。
【符号の説明】
【００７１】
１０・・電気光学装置、１５・・接着剤、３１、３２・・フック部、３０・・固定部材、３５・・板バネ部、４０・・電気光学パネル、４０ａ・・画像表示領域、５０・・液晶パネル、６０・・フレーム、６１、６２、６３、６４・・フレームの側壁、６１ａ、６２ａ、６３ａ、６４ａ・・側壁の外面、６１ｂ、６２ｂ、６３ｂ、６４ｂ・・側壁の内面、７０・・バックライトユニット、８０・・底板、９０・・カバー、９１、９２、９３、９４・・カバーの側板部、９７・・カバーの端板部、６１８、６２８、６３８・・側壁の溝
【図１】
2014085571.tif 000003
【図２】
2014085571.tif 000004
【図３】
2014085571.tif 000005
【図４】
2014085571.tif 000006
【図５】
2014085571.tif 000007
【図６】
2014085571.tif 000008
【図７】
2014085571.tif 000009
【図８】
2014085571.tif 000010